(57)【特許請求の範囲】
【請求項１】
床下地上面に所要数の床上げ部材を所定配列にて配置する手順と、
前記床上げ部材間に配管を敷設する手順と、
少なくとも底部に膨出可能な接合部材を有する間仕切パネルを位置決めする手順と、
前記膨出可能な接合部材を前記床上げ部材間に膨出させて間仕切パネルの底部の固定をする手順
とを含んでなることを特徴とする間仕切パネルの固定方法。
【請求項２】
前記膨出可能な接合部材がゴムからなる袋体とされ、その袋体に気体または液体が注入されて同接合部材が膨出させられることを特徴とする請求項１記載の間仕切パネルの固定方法。
【請求項３】
前記液体が所定の流動性を有するものとされてなることを特徴とする請求項２記載の間仕切パネルの固定方法。
【請求項４】
前記液体が凝固性を有するものとされてなることを特徴とする請求項２記載の間仕切パネルの固定方法。
【請求項５】
床下地上面に所定配列にて配置されている所要数の床上げ部材と、少なくとも底部に膨出可能な接合部材を有する間仕切パネルとを備え、
前記膨出可能な接合部材を前記床上げ部材間に膨出させて、間仕切パネルの底部の固定がなされる
ことを特徴とする間仕切パネルの固定構造。
【請求項６】
前記膨出可能な接合部材がゴムからなる袋体とされ、その袋体に気体または液体が注入されて同接合部材が膨出させられることを特徴とする請求項５記載の間仕切パネルの固定構造。
【請求項７】
前記液体が所定の流動性を有するものとされてなることを特徴とする請求項６記載の間仕切パネルの固定構造。
【請求項８】
前記液体が凝固性を有するものとされてなることを特徴とする請求項６記載の間仕切パネルの固定構造。
【請求項９】
接合部材が着脱可能とされてなることを特徴とする請求項８記載の間仕切パネルの固定構造。
【発明の詳細な説明】
【０００１】
【発明の属する技術分野】
本発明は間仕切パネルの固定方法および固定構造に関する。さらに詳しくは、可動間仕切パネルに適した間仕切パネルの固定方法および固定構造に関する。
【０００２】
【従来の技術】
従来より、床の施工にあっては、図４および図５に示すように、床下地材ａに凹部ｂを形成してその凹部ｂに設備配管ｃを敷設し、しかる後仕上げ床材（図示省略）を配設することがなされている。すなわち、上げ床式工法による設備配管ｃの敷設がなされている。図４および図５中、符号ｄは間仕切パネル示し、符号ｅは下地レールを示す。
【０００３】
しかしながら、従来の上げ床式工法の多くは可動間仕切への配慮がなされていないため、次のような問題を有している。
【０００４】
（１）設備配管ｃの配置によって間仕切壁パネルｄの位置が制約されてしまうため、可動間仕切の仕組みを活かした設計がなし得ない。
【０００５】
（２）間仕切パネルｄの取付方法が煩雑であり、かつ取付に熟練を要する。
【０００６】
（３）床下地材や仕上げ床材との取り合いが難しく、かつ納まりが複雑となる。例えば、図５に示すように、床下地材の凹凸をクリアするため、幅木ｆなどの緩和材を用いる必要がある。
【０００７】
【発明が解決しようとする課題】
本発明はかかる従来技術の課題に鑑みさなれたものであって、前記問題点が解消された間仕切パネルの固定方法および固定構造を提供することを目的としている。
【０００８】
【課題を解決するための手段】
本発明の間仕切パネルの固定方法は、床下地上面に所要数の床上げ部材を所定配列にて配置する手順と、前記床上げ部材間に配管を敷設する手順と、少なくとも底部に膨出可能な接合部材を有する間仕切パネルを位置決めする手順と、前記膨出可能な接合部材を前記床上げ部材間に膨出させて間仕切パネルの底部の固定をする手順とを含んでなることを特徴とする。
【０００９】
一方、本発明の間仕切パネルの固定構造は、床下地上面に所定配列にて配置されている所要数の床上げ部材と、少なくとも底部に膨出可能な接合部材を有する間仕切パネルとを備え、前記膨出可能な接合部材を前記床上げ部材間に膨出させて間仕切パネルの底部の固定がなされることを特徴とする。
【００１０】
本発明においては、前記膨出可能な接合部材は、例えばゴムからなる袋体とされ、その袋体に気体または液体が注入されて同接合部材が膨出させられる。
【００１１】
その場合、前記液体は、所定の流動性を有するのが好ましい。
【００１２】
なお、前記液体が、例えば凝固性を有していてもよい。ただし、その場合は間仕切パネルを移動可能とするため、前記接合部材は着脱可能とされる。
【００１３】
【作用】
本発明は前記の如く構成されているので、敷設配管の位置に制約を受けることなく、間仕切パネルの取付け位置が選定できる。また、接合部材を収縮させることにより間仕切パネルの固定が解除できるので、間仕切パネルの移動も簡易になし得る。
【００１４】
【発明の実施の形態】
以下、添付図面を参照しながら本発明を実施の形態に基づいて説明するが、本発明はかかる実施の形態のみに限定されるものではない。
【００１５】
本発明の間仕切パネルの固定方法が適用されている間仕切パネルの固定構造Ｋの一実施の形態の要部を図１に斜視図で示す。
【００１６】
図１に示すように、この間仕切パネルの固定構造（以下、単に固定構造という）Ｋは、床下地上面１に仕上げ床材（図示省略）を床下地上面１から所定高さに維持する床上げピース（床上げ部材）２を所要数床下地上面１に所定配列にて、例えば碁盤目配列にて配置してその床上げピース２，２間に設備配管Ｐを配設し、そして床上げピース２が配設された床下地上面１の上方適宜位置に間仕切パネル３を配置してなるものである。ここで、間仕切パネル３はその後の移動を考慮してできるだけ軽量構造とされるのが好ましい。
【００１７】
この間仕切パネル３の底部３１および上部（図示省略）には、膨出可能な接合部材４が設けられていて、間仕切パネル３が所定位置に配置された後にその接合部材４が床上げピース２，２間に膨出させられ、間仕切パネル３が所定位置に固定される（図２および図３参照）。かかる構成とすることにより、図２および図３に示すように、間仕切パネル３の固定位置は設備配管Ｐの位置に制約を受けることはない。また、間仕切パネル３の位置変更は、接合部材４を収縮させて間仕切パネル３を適宜位置に移動させた後、再度接合部材４を膨出させることによりなされる。
【００１８】
この膨出可能な接合部材４は、例えばゴム系素材からなる袋体４１とされる。また、この接合部材４の膨出は、袋体４１にガスや空気を注入することによりなされる。あるいは、袋体４１に液体を注入することによりなされる。この場合、間仕切パネル３の設置個所の移動が可能なように、液体としては適度の流動性を有するものを用いて、移動の際に注入口（図示省略）より排出ができるようにしておく必要がある。
【００１９】
なお、液体を用いるときは、凝固性液体を用いて間仕切パネル３を移動する際に接合部材４を廃棄する構造としてもよい。例えば、接合部材４を間仕切パネル３の底部３１に着脱自在に取り付けておいて、移動の際に接合部材４を間仕切パネル３の底部３１から取り外すようにしてもよい。かかる構成は、例えば接合部材４を間仕切パネル３の底部３１にバンド留めにて取り付けることにより実現される。
【００２０】
このように、この実施の形態によれば、床下地上面１に床上げピース２を所定配列にて配置しているので、設備配管Ｐの経路の自由度が増大する。また、間仕切パネル３の固定は、膨出可能な接合部材４を膨出させてなしているので、間仕切パネル３の設置位置が設備配管Ｐの位置や床上げピース２の位置によって制約を受けることはない。また、間仕切パネル３の固定が容易になし得る。さらに、間仕切パネル３の取付け位置の変更も容易になし得る。その上、接合部材４は適度の弾力性を有しているので、床下地の振動を吸収でき、床下地が振動した場合における間仕切パネル３の振動を抑制できる。
【００２１】
以上、本発明を実施の形態に基づいて説明してきたが、本発明はかかる実施の形態のみに限定されるものではなく、種々改変が可能である。例えば、図示例では床上げピース２は十字上ピースとされているが、各種形状のピースとでき、例えば四角形ピースとできる。また、実施の形態では間仕切パネル３の底部３１と上部との固定は、膨出可能な接合部材によりなされているが、上部は適宜構造により固定することができる。
【００２２】
【発明の効果】
以上詳述したように、本発明によれば次のような優れた効果が得られる。
【００２３】
（１）間仕切パネルの固定は、接合部材を膨出させてなしているので、間仕切パネルの設置位置が、設備配管の位置や床上げ部材の位置によって制約を受けることはない。また、間仕切パネルの固定が容易になし得る。
【００２４】
（２）間仕切パネルの取付け位置の変更も容易になし得る。
【００２５】
（３）接合部材は適度の弾力性を有しているので、床下地の振動を吸収でき、床下地が振動した場合における間仕切パネルの振動を抑制できる。
【００２６】
（４）床下地上面に床上げ部材を所定配列にて配置しているので、設備配管の経路の自由度が増大する。
【図面の簡単な説明】
【図１】本発明の間仕切パネルの固定方法が適用されている間仕切パネルの固定構造の一実施の形態の要部斜視図である。
【図２】本発明の間仕切パネルの固定方法における施工手順を示す説明図であって、間仕切パネルを所定位置に位置決めした状態を示す。
【図３】本発明の間仕切パネルの固定方法における施工手順を示す説明図であって、接合部材を膨出させた状態を示す。
【図４】従来の間仕切パネルの施工説明図である。
【図５】図４のＡ部詳細図である。
【符号の説明】
１        床下地材
２        床上げピース（床上げ部材）
３        間仕切パネル
３１      底部
４        接合部材
４１      袋体
Ｋ        間仕切パネルの固定構造
Ｐ        設備配管
【図１】
0003991322.tif 000002
【図２】
0003991322.tif 000003
【図３】
0003991322.tif 000004
【図４】
0003991322.tif 000005
【図５】
0003991322.tif 000006